(57)【特許請求の範囲】
【請求項１】
展示品本体にストラップを取り付けた展示品を吊り下げる展示具において、
台座と、
前記台座から延びる支柱と、
前記支柱から前記展示品本体側に突出する支持体と、
前記支持体に設けられ、前記ストラップを通す通し穴と、を備える展示具。
【請求項２】
請求項１において、
前記支柱の背面に、前記ストラップを下方に導く断面半円状の通し溝が設けられた展示具。
【請求項３】
請求項１または請求項２において、
前記通し穴に通した前記ストラップを掛け止める掛止体を備える展示具。
【請求項４】
請求項３において、
前記掛止体は、前記台座の底面に設けられる展示具。
【請求項５】
請求項１乃至請求項４のいずれか一項において、
前記ストラップは、環状紐と、前記環状紐の基端部を保持する保持具と、前記保持具と前記展示品本体を連結する連結リングと、を有するものであり、
前記支持体の先端開口に、1対の切欠きを対向させて設け、
前記保持具を前記通し穴に嵌合させると共に、前記連結リングを前記1対の切欠きに嵌合させるようにした展示具。
【発明の詳細な説明】
【技術分野】
【０００１】
本発明は、展示具に関するものである。
【背景技術】
【０００２】
従来より、ストラップが取り付けられたアクセサリー等の展示品を飾るため、各種の展示具が提案されている（特許文献１参照）。
【０００３】
図７に示すように、特許文献１に記載の展示具１００は、ストラップ１０１の付いたアクセサリー１０２を飾るものであり、ストラップ１０１を栓体１０３の挿入溝１０４で挟み、アクセサリー１０２を透明な筒体１０５の中に吊り下げるものである。この展示具１００によれば、購入者は、透明な筒体１０５を介してアクセサリー１０２のデザインを外から見ることができる。
【０００４】
ところで、近年、いわゆるストラップ・フィギュアに代表されるストラップ付き商品の需要が高まる中、商品を容易に展示でき、しかも販売効果を高める展示具が求められている。
【先行技術文献】
【特許文献】
【０００５】
【特許文献１】実用新案登録第３０８０５９４号公報（第２図）
【発明の概要】
【発明が解決しようとする課題】
【０００６】
しかしながら、前述したような従来の展示具１００においては、ストラップ１０１を挿入溝１０４に挟み、アクセサリー１０２を筒体１０５に挿入し、さらに栓体１０３を筒体１０５に嵌合させる作業が必要であり、アクセサリー１０２の装着に手間がかかる。また、筒体１０５を介してアクセサリー１０２を見るため、照明の状態によっては、アクセサリー１０２のデザインが分かりにくいことがある。さらに、購入者は、アクセサリー１０２を直接触ることができないため、アクセサリー１０２の形状や感触を確認しにくい。
【０００７】
そこで、本発明は、上記の問題を鑑みてなされたものであり、展示品を容易に装着でき、しかも展示品のデザインや形状、感触を容易に確かめることができる展示具を提供することを目的とする。
【課題を解決するための手段】
【０００８】
本発明は、展示品本体にストラップを取り付けた展示品を吊り下げる展示具において、台座と、台座から延びる支柱と、支柱から展示品本体側に突出する支持体と、支持体に設けられ、ストラップを通す通し穴と、を備える。
【０００９】
また、本発明において、支柱の背面に、ストラップを下方に導く断面半円状の通し溝を設けることが好ましい。また、ストラップの先端部を掛け止める掛止体を設けることが好ましい。
【００１０】
また、本発明において、ストラップは、環状紐と、環状紐の基端部を保持する保持具と、保持具と展示品本体を連結する連結リングと、を有するものであり、支持体の先端開口に、1対の切欠きを対向させて設け、保持具を通し穴に嵌合させると共に、連結リングを前記1対の切欠きに嵌合させるようにすることが好ましい。
【発明の効果】
【００１１】
本発明によれば、ストラップを通し穴に通し、掛止体に掛け止めるだけで、展示品を容易に吊り下げることができ、しかも展示品のデザインや形状、感触を容易に確かめることができる展示具を提供することができる。
【図面の簡単な説明】
【００１２】
【図１】本発明にかかる実施形態の展示具の斜視図である。
【図２】（Ａ）は図１のＡ−Ａ線断面図、（Ｂ）は（Ａ）のＢ−Ｂ線断面図である。
【図３】上通し穴の作用を説明する図である。
【図４】切欠きの作用を説明する図である。
【図５】フックの作用を説明する図である。
【図６】展示品が装着された展示具の斜視図である。
【図７】従来の展示具の構成を説明する図である。
【発明を実施するための形態】
【００１３】
以下、添付図面を参照して、本発明を実施するための実施形態について説明する。
【００１４】
図１に示すように、本発明にかかる実施形態の展示具１０は、展示品２０を展示位置（たとえば、店内の陳列棚など）に飾るものである。展示品２０は、いわゆるストラップ・フィギュアであり、模型である展示品本体２１と、この展示品本体２１に取り付けられるストラップ２２とからなる。
【００１５】
展示品本体２１の上端には、リング２３が設けられる。このリング２３は、展示品本体２１に一体成形されるもの、あるいは、別のリングを介して展示品本体２１と連結されるものでもよい。なお、展示品本体２１は、フィギュアに格別に限られるものではなく、アクセサリーや玩具など、種類は任意である。
【００１６】
ストラップ２２は、携帯電話や携帯ゲーム機等に取り付け可能な環状紐２５と、この環状紐２５の基端部（結び目）２６を保持する筒状の保持具２７と、この保持具２７に貫通して設けられ、リング２３と連結する連結リング（いわゆるＣ環や二重環など）２８とからなる。
【００１７】
次に、展示具１０の構成について説明する。
展示具１０は、台座１１と、この台座１１から上方に延びる支柱１２と、この支柱１２の上端に展示品本体側（図中、矢印（１））に向けて突出する支持体１３とを備える。
【００１８】
台座１１は、高さの低い円筒形の周壁部１１ａと、この周壁部１１ａの上端縁を塞ぐ円板部１１ｂとを有する。この円板部１１ｂの後部上面には、上方に向けて突出する円筒部１５が形成される。この円筒部１５の内径部は、台座１１の底面に開口する下通し穴１５ａを形成する。
【００１９】
支柱１２は、半円筒形状であり、下通し穴１５ａから鉛直上向きに延びる。支柱１２の高さは、展示品本体２１の高さと同程度、または、それ以上の高さが好適である。
【００２０】
支持体１３は、円筒形状であり、展示品２０を吊り下げ支持するものである。支持体１３の内径部は、ストラップ２２を通す上通し穴１３ａを形成する。また、上通し穴１３ａは、保持具２７の外径に合わせた内径に形成されており、上通し穴１３ａには、保持具２７が挿入可能である。また、支持体１３の先端開口１３ｂには、１対の切欠き１６が設けられる。
【００２１】
１対の切欠き１６は、支持体１３の軸直角方向で且つ鉛直方向において、対向するように配置される。各々の切欠き１６は、略半円形状であり、連結リング２８の厚みに合わせた幅に形成される。これにより、１対の切欠き１６には、連結リング２８が嵌合可能である。
【００２２】
図２（Ａ）及び（Ｂ）に示すように、支柱１２の下部は、円筒部１５の前半部と連なる。また、半円筒状の支柱１２の背面は、横断面半円状の通し溝１７を形成する。この通し溝１７は、下通し穴１５ａから支持体１３の基端開口１３ｃに延びる。
【００２３】
円板部１１ｂの底面には、展示品本体側（図１中、矢印（１））に向けて突出する略Ｌ字状のフック（掛止体）１８が設けられる。このフック１８の位置や形状は、ストラップや展示品本体の仕様に応じて任意に設定可能である。
【００２４】
なお、展示具１０は、台座１１、支柱１２、支持体１３、円筒部１５、フック１８の構成要素を一体成形したもの他、少なくとも１要素を別体で構成し、この別体の部品を他の部品に組付けたものでもよい。また、台座１１、支柱１２、支持体１３、円筒部１５、フック１８の各々についても、一体成形品、あるいは、複数の部品からなる組立品のいずれでもよい。また、展示具１０の構成要素の材質は、合成樹脂材料、ゴム材料、金属材料等の中から任意に選択可能である。
【００２５】
以上、説明した本発明にかかる実施形態の展示具１０の作用・効果を図３〜図６に基づいて説明する。
【００２６】
図３に示すように、環状紐２５の先端部２５ａを上通し穴１３ａに通し、保持具２７を先端開口１３ｂに引寄せる（図中、矢印（２））。次に、図４に示すように、保持具２７を上通し穴１３ａに嵌合させると共に、連結リング２８の上下２箇所を１対の切欠き１６に嵌合させる。このとき、展示品本体２１の正面２１ａは購入者側に向く。
【００２７】
次に、環状紐２５を通し溝１７に沿わせながら、下方に導く（図中、矢印（３））。そして、図５に示すように、環状紐２５の先端部２５ａを下通し穴１５ａに通して台座１１の底面まで引いた後、フック１８に掛け止める（図中、矢印（４））。すると、図６に示すように、正面２１ａを購入者側に向けた姿勢で、展示品２０が支持体１３の先端から吊り下がる。なお、展示品本体２１は、台座１１から浮かせてもよいし、台座１１に載せるようにしてもよい。
【００２８】
以上のように作用する展示具１０によれば、環状紐２５を引いて、フック１８掛け止めるだけで、展示品２０が支持体１３から吊り下げ支持される。したがって、展示品２０を容易に装着することができ、展示の作業性が従来に比べて格段に良くなる。また、透明な筒体を通して展示品を見る従来の構成に比べ、展示品本体２１のデザインを容易に確かめることができる。また、購入者は、展示品本体２１に直接触れることができるので、展示品本体２１の形状や感触を容易に確かめることができる。
【００２９】
さらに、環状紐２５が支持体１３及び支柱１２の背面に隠れるので、展示品２０の見栄えも良くなる。
【００３０】
加えて、切欠き１６に連結リング２８を嵌めることにより、展示品本体２１の向きを一定にすることができる。すなわち、切欠き１６が連結リング２８の動きを阻止するため、展示品本体２１が鉛直線周り（図６中、矢印（５））に回転しない。結果、正面２１ａを常に購入者側に向かせて展示品本体２１を吊り下げることができる。
【００３１】
以上、実施形態を用いて本発明を説明したが、本発明の技術的範囲は上記実施形態に記載の範囲には限定されないことは言うまでもない。上記実施形態に、多様な変更または改良を加えることが可能である。
【００３２】
たとえば、本実施形態において、１対の切欠きは、鉛直方向に対向させて配置した。しかし、本発明において、１対の切欠きは、展示品本体や連結リング、ストラップの構成に応じて、非鉛直方向に対向させてもよい。
【符号の説明】
【００３３】
１０  展示具
１１  台座
１２  支柱
１３  支持体
１３ａ  上通し穴（通し穴）
１３ｂ  先端開口
１６  切欠き
１７  通し溝
１８  フック（掛止体）
２０  展示品
２１  展示品本体
２２  ストラップ
２５  環状紐
２５ａ  先端部
２６  基端部
２７  保持具
２８  連結リング
【図１】
0005739488.tif 000002
【図２】
0005739488.tif 000003
【図３】
0005739488.tif 000004
【図４】
0005739488.tif 000005
【図５】
0005739488.tif 000006
【図６】
0005739488.tif 000007
【図７】
0005739488.tif 000008